(57)【要約】【課題】連続階調による表示状態をも記憶し得るメモリ機能を有するとともに可撓性を有する基板を用いた場合にも基板間の厚みを一定に保持し得る、簡易な構成の液晶光変調器およびその製造方法、ならびに液晶表示装置を提供する。【解決手段】液晶光変調器２０は、それぞれ透明電極１が付設された１対の透明基板２の間に、合成樹脂製の網目状分割構造体５とコレステリック液晶４とからなる複合膜６、および透明基板２を接着・保持する合成樹脂製のスペーサ構造体３、を互いに隣接するようにして配置してなる。両透明電極１は、リード線１０を介して電圧源９と接続されている。網目状分割構造体５により、コレステリック液晶４が多数の微小領域に分割され、分子のねじれ軸方向が基板面に垂直もしくは水平な液晶ドメインを誘起するように形成される。【選択図】    図１
2006330047.tif 000002
【特許請求の範囲】
【請求項１】
少なくとも一方が透明体よりなる、電極を付設した一対の基板を対向せしめ、これら基板間に、コレステリック液晶と、該コレステリック液晶を微細領域に分割する合成樹脂よりなる分割構造体とからなる複合膜、および前記一対の基板間のスペーサとして機能する合成樹脂よりなるスペーサ構造体を介在させるとともに、該分割構造体により前記コレステリック液晶のねじれの軸が前記基板の表面に対して垂直もしくは平行とされた液晶のドメインを形成し、前記電極に印加する書き込み電圧に応じて光変調がなされるように構成されてなることを特徴とする液晶光変調器。
【請求項２】
前記分割構造体が網目状に形成され、該網目のサイズおよび前記コレステリック液晶のねじれピッチの制御に基づき、表示光の保持動作における書き込み電圧、バイアス電圧、応答時間およびコントラスト比の調整を行うように構成されていることを特徴とする請求項１記載の液晶光変調器。
【請求項３】
前記コレステリック液晶のねじれピッチに応じた波長選択反射効果または波長選択散乱効果により光変調処理を行うことを特徴とする請求項１または２記載の液晶光変調器。
【請求項４】
前記コレステリック液晶中に２色性色素を混入してなり、該２色性色素を混入したことに伴う該コレステリック液晶の配向変化に応じた光吸収変化により光変調処理を行うことを特徴とする請求項１から３のうちいずれか１項記載の液晶光変調器。
【請求項５】
請求項１〜４のうちいずれか１項記載の液晶光変調器を製造する方法において、前記スペーサ構造体および前記分割構造体の構成材料を同一の樹脂原材料とし、前記コレステリック液晶と該樹脂原材料を混合した混合液を前記一対の基板間に介在させ、該混合液への紫外線のパターン露光および全面露光を行って該スペーサ構造体および該分割構造体を逐次形成することを特徴とする液晶光変調器の製造方法。
【請求項６】
請求項１〜４のうちいずれか１項記載の液晶光変調器を備えたことを特徴とする液晶表示装置。
【発明の詳細な説明】
【技術分野】
【０００１】
本発明は、液晶を用いて光を変調する液晶光変調器、その製造方法および液晶表示装置に関し、特に低消費電力かつ高速な階調画像表示が必要とされるフラットパネルディスプレイやフレキシブルディスプレイに好適な液晶光変調器、その製造方法および液晶表示装置に関するものである。
【背景技術】
【０００２】
一般に液晶光変調器は、液体である液晶が、電極層を付設された少なくとも一方が透明体よりなる1対の基板の間に挾まれて構成される。２つの電極間に電圧を加えて、液晶分子の配列状態を変化させると、液晶の光学的性質が変化するため、入射する光を電圧で変調する機能が得られる。すなわち、液晶の電気光学効果を応用すると、光変調器を容易に実現できる。液晶光変調器は、他の電気光学効果を示す光学結晶に比べて低電圧で動作するため、表示装置用の電気光学素子として、近年、急速に普及しつつある。
【０００３】
さらに今後、携帯性・収納性に優れたフレキシブルな表示パネルと、携帯情報機器で求められる省電力表示動作を実現することが要求されており、そのためには、薄いプラスティックフィルム基板を接着・保持して液晶層の厚みを一定に保つ素子構造の開発、および電圧除去後も液晶の表示が維持されるメモリ機能の開発がポイントとされている。なお、メモリ機能の開発がポイントとされるのは、液晶素子自体がメモリ機能を具備すれば、表示の書換え時においてのみ、さらには書き換える必要のある部分についてのみ、電圧を印加すれば良くなり、電力消費を大幅に低減することができるためである。
【０００４】
上述したような基板に挾まれた液晶層の厚みを一定に保つ技術としては、フォトリソグラフィ法によりフォトレジスト材料の柱を規則的に基板上に形成する手法が知られている。この技術は現在、既に各種の液晶表示装置に利用されている。
【０００５】
一方、電圧除去後も液晶の表示を維持させるメモリ機能を液晶素子自体にもたせる技術としては、例えば下記非特許文献１に記載されたものが知られている。すなわち、この技術は、高度にねじれた分子配向によりメモリ機能を発現するコレステリック液晶を、プラスティックフィルム基板の間に保持させるようにしたものである。電圧が印加される前の状態では、この素子はグランジャン組織もしくはプレーナ配向と呼ばれる状態（分子配向のねじれ軸が基板面に垂直）とされている。この素子に電圧が印加されると、液晶のねじれ軸が回転して、フォーカルコニック組織（分子配向のねじれ軸が基板面に平行）に一様に変化する。さらに高い電圧が印加されると、ねじれ配向が解消して、分子が基板に垂直に配向するようになり（ホメオトロピック配向）、コレステリック相からネマティック相への相転移を生じる。この素子のプレーナ配向の波長選択反射（散乱）効果により光が変調され、プレーナ配向もしくはフォーカルコニック組織の分子配向状態は電圧除去後も保持される。これは配向変化の過程が電圧の上昇時および下降時で異なり、それぞれの過程で分子配向歪みに伴う弾性エネルギにより双安定性が生じるためである。
【０００６】
【非特許文献１】K. Ochi, E. Yamakawa, K. Hashimoto and K. Kohriyama: ” Full color display system using reflective memory type chiral nematicLCDs ” Proc. International Display Workshops, PLC1-1, pp.281-284 (2000)
【発明の開示】
【発明が解決しようとする課題】
【０００７】
しかしながら、上述したような基板に挾まれた液晶層の厚みを一定に保つ手法（フォトレジストの柱構造による手法）によっては、スペーサ柱が片方の基板に貼り付いているだけで両基板と接合されるものではないため、基板間隔を圧縮する力に対しては効果的であるが、拡張する力に対しては効果がない。そのため、特に、基板が可撓性を有するプラスティック基板である場合には、液晶層の厚みが変動して表示が乱れやすい。
【０００８】
また、上記非特許文献１に記載された液晶素子自体にメモリ機能をもたせる手法においては、２値のメモリ動作とされているため、連続階調を必要とする自然画像の表示やフルカラー表示等に用いる表示装置としては適しておらず、中間調の表示状態をも記憶可能な手法の開発が望まれていた。
【０００９】
本発明はこのような事情に鑑みなされたものであり、連続階調による表示状態をも記憶し得るメモリ機能を有するとともに、可撓性を有する基板を用いた場合にも基板間の厚みを一定に保持し得る、簡易な構成の液晶光変調器およびその製造方法、ならびに液晶表示装置を提供することを目的とするものである。
【課題を解決するための手段】
【００１０】
上記課題を解決するため、本発明者は鋭意研究を進めた結果、互いに異なる２種類の樹脂構造を素子内に形成する手法を想起するに到った。
【００１１】
すなわち、本発明の液晶光変調器は、少なくとも一方が透明体よりなる、電極を付設した一対の基板を対向せしめ、これら基板間に、コレステリック液晶と、該コレステリック液晶を微細領域に分割する合成樹脂よりなる分割構造体とからなる複合膜、および前記一対の基板間のスペーサとして機能する合成樹脂よりなるスペーサ構造体を介在させるとともに、該分割構造体により前記コレステリック液晶のねじれの軸が前記基板の表面に対して垂直もしくは平行とされた液晶のドメインを形成し、前記電極に印加する書き込み電圧に応じて光変調がなされるように構成されてなることを特徴とするものである。
【００１２】
また、前記分割構造体が網目状に形成され、該網目のサイズおよび前記コレステリック液晶のねじれピッチの制御に基づき、表示光の保持動作における書き込み電圧、バイアス電圧、応答時間およびコントラスト比の調整を行うように構成されていることが好ましい。
【００１３】
また、前記コレステリック液晶のねじれピッチに応じた波長選択反射効果または波長選択散乱効果により光変調処理を行うように構成されていることが好ましい。
【００１４】
また、前記コレステリック液晶中に２色性色素を混入してなり、該２色性色素を混入したことに伴う該コレステリック液晶の配向の変化に応じた光吸収変化により光変調処理を行うように構成されてもよい。
【００１５】
また、本発明の液晶光変調器の製造方法は、上述したいずれかの液晶光変調器を製造する方法であって、前記スペーサ構造体および前記分割構造体の構成材料を同一の樹脂原材料とし、前記コレステリック液晶と該樹脂原材料を混合した混合液を前記一対の基板間に介在させ、該混合液への紫外線のパターン露光および全面露光を行って該スペーサ構造体および該分割構造体を逐次形成することを特徴とするものである。
【００１６】
さらに、本発明の液晶表示装置は、上述したいずれかの液晶光変調器を備えたことを特徴とするものである。
【発明の効果】
【００１７】
本発明の液晶光変調器および液晶表示装置によれば、基板間においてスペーサとして機能する合成樹脂製のスペーサ構造体を形成するとともに、コレステリック液晶を微細な領域に分割する樹脂製の分割構造体を形成することにより、分子配向のねじれ軸が基板面に水平もしくは垂直となる微小な液晶ドメインが誘起され、また、この液晶ドメインを含む液晶/合成樹脂複合膜を各スペーサ構造体が基板間隔方向に貫くように構成される。
【００１８】
すなわち、コレステリック液晶を分割構造体によって微細に分割することにより、液晶の配向変化のしきい電圧が素子面内でばらつく。それにより、コレステリック液晶のねじれ軸が基板面に垂直もしくは水平な液晶の微細ドメインが生じる。すなわち、肉眼では見えない微細な明暗の液晶ドメインが生じ、印加電圧の変化に応じて明暗ドメインの面積比率が制御可能であるため、所望の中間調の表示状態を得ることが可能である。
【００１９】
また、上記液晶/合成樹脂複合膜を各スペーサ構造体が基板間隔方向に貫くことにより、1対の薄い基板が互いに保持されて一体化されるため、液晶光変調器および表示装置が湾曲された場合にも上記液晶/合成樹脂複合膜の厚みを一定に保持することができる。
【００２０】
これにより、連続階調による表示状態をも記憶し得るメモリ機能を有するとともに、可撓性を有する基板を用いた場合にも基板間の厚みを一定に保持し得る機能を、簡易な構成により得ることができる。
【００２１】
また、本発明の液晶光変調器の製造方法によれば、スペーサ構造体および分割構造体の構成材料を同一の樹脂原材料とし、コレステリック液晶と該樹脂原材料を混合した混合液を一対の基板間に介在させ、該混合液への紫外線のパターン露光および全面露光を行って該スペーサ構造体および該分割構造体を逐次形成するようにしており、両構造体の作製を連続して行うことができるので、製造工程を簡易化することができ、製造時間の短縮化および製造コストの低廉化を図ることができる。
【発明を実施するための最良の形態】
【００２２】
以下、本発明の実施形態に係る液晶光変調器について図面を参照しつつ説明する。図１は本発明による液晶光変調器の一実施形態を示す断面模式図である。
【００２３】
この液晶光変調器２０は、それぞれ透明電極１が付設された１対の透明基板２の間に、合成樹脂製の網目状分割構造体５とコレステリック液晶４とからなる複合膜６、および透明基板２を接着・保持する合成樹脂製のスペーサ構造体３、を互いに隣接するようにして配置してなる。また、両透明電極１は、リード線１０を介して電圧源９と接続されている。
【００２４】
なお、実際には、網目状分割構造体５は、コレステリック液晶４が多数の微小領域に分割されるように、例えば、ハニカム状やくもの巣状に張りめぐらされており、さらに、スペーサ構造体３も多数個が、複合膜６中に分散配置されている。
また、このような液晶光変調器２０を用いて液晶表示装置が形成される。
【００２５】
ところで、コレステリック液晶４の液晶分子の配向は、初期状態ではねじれ軸が基板面に対して垂直方向となっている(グランジャン組織もしくはプレーナ配向)。この場合、波長選択反射効果が生じ、入射光７はコレステリック液晶のねじれ配向の周期構造に応じてブラッグ反射され、出射光８すなわち表示光となる。このとき、明表示の状態となる。
【００２６】
これに対して、電圧源９からリード線１０を介して、両透明電極１間に、所定値以上の高い電圧が印加されると、コレステリック液晶４のねじれ軸が基板面に対して水平方向となるように変化する(フォーカルコニック組織もしくはフィンガプリント組織)。この場合、波長選択反射効果は生ぜず、入射光７は直進・透過するため、表示光は消失して、黒表示の状態となる。
【００２７】
一方、両透明電極１間に、上記所定値よりも低い電圧が印加された場合、網目状分割構造体５に囲まれた領域のコレステリック液晶４が、網目のサイズや形状に応じて配向変化を起こすため、この網目状分割構造体５によってミクロンオーダの微細な液晶ドメインが生じることになる。すなわち、配向変化のしきい値電圧が網目状分割構造体５により空間的に変調されるため、上記ねじれ軸が基板面に垂直もしくは水平方向を向いた微小な液晶ドメインの分布が素子面内に誘起される。人間の目では微細な液晶ドメインが識別できないため、明表示のドメインの合計面積と暗表示のドメインの合計面積の比率に応じた明るさの、中間調の表示光が得られる(面積階調機能)。
【００２８】
これらの明、暗、中間調の各表示状態は、書込み電圧の印加を停止したり、書込み電圧よりも小さなバイアス電圧に降下させた場合にも、高度にねじれた液晶配向のメモリ機能により維持される。
【００２９】
分割構造体を形成していない従来のコレステリック液晶膜においては、ねじれ軸が互いに異なる液晶ドメインを安定に保持することができなかったが、本実施形態においては、網目状分割構造体５を用いてコレステリック液晶４を分割（分断）することより、微細な液晶ドメインが誘起されて、時間的に安定な階調メモリ機能を実現することができる。
【００３０】
上記保持される表示光の強度は、書込み電圧の強度や電圧印加時間に依存する。液晶ドメインのサイズや配向変化のしきい値電圧は、網目状分割構造体５の網目サイズとコレステリック液晶４のねじれピッチにより変化するため、メモリ動作における書込み電圧、バイアス電圧、応答時間および表示のコントラスト比を制御することができる。
【００３１】
なお、書込み電圧より大幅に高い電圧が印加されると、ねじれ配向が解消され、すべての液晶分子が基板面に対して垂直方向に配向し（ホメオトロピック配向）、その後、グランジャン組織に戻る。すなわち高い電圧パルスの印加により、メモリされていた表示状態をリセットすることが可能である
またコレステリック液晶（ホスト）４に２色性色素（ゲスト）を混入することにより、配向変化に応じて液晶自体の光吸収が変化するため、波長選択反射（散乱）効果を用いなくとも、素子の反射光や透過光を変調することも可能である。このゲストホスト動作方式において高いコントラスト比を得ることのできる色素材料として、２色性比に優れたアントラキノン系やアゾ系の色素等が有用である。
【００３２】
また、本発明の実施形態に係る液晶光変調器の製造方法としては、スペーサ構造体３および網目状分割構造体５を同一の樹脂原材料により構成することで、製造工程を簡易なものとすることができる。また、それぞれの構造体３、５を、コレステリック液晶４と該樹脂原材料の混合液への紫外線のパターン露光および全面露光により、逐次形成する。その具体的な作製方法は以下の通りである。
【００３３】
すなわち、それぞれ透明電極１を付設した１対の透明基板２を使用し、一方の基板２上にコレステリック液晶４と樹脂原材料の混合液を塗布した後、当該塗布液上に他方の基板２を載せ貼り合わせる。この時、コレステリック液晶４と樹脂の複合膜６の厚みを制御するための球状スペーサを、液晶／樹脂混合液内に分散してもよい。混合液の配合比は、スペーサ構造体３と分割構造体５の体積の総計とコレステリック液晶４の体積の総計の比率によって定められる。
【００３４】
上記混合液を両透明基板２により挟み込んだ後、一方の透明基板２上に所定パターンの露光部が配された光学マスクを密着させる。紫外線をこの光学マスク越しに照射し、露光部に対応する樹脂原材料の重合を促進する。これにより、この重合の促進部分において合成樹脂の分子量が急速に増加し、液晶との相分離が生じ、液晶分子が露光領域から排出され、スペーサ構造体３が形成される。
【００３５】
このようにしてスペーサ構造体３が形成された後、スペーサ構造体形成領域以外の混合液中に残った樹脂原材料成分を用いて、コレステリック液晶４中に網目状分割構造体５を形成する。すなわち、透明基板２上から上記光学マスクを取り外し、紫外線により透明基板２の全面照射を行うことで、コレステリック液晶４中に網目状分割構造体５を析出させて分散する。このとき、網目状分割構造体５の網目サイズは、紫外線強度が高いほど、すなわち硬化速度が大きいほど微細となる。なお、液晶の電気光学効果を効率よく引き出すためには、複合膜６中のコレステリック液晶４の含有率を少なくとも70％以上とする必要がある。また、複合膜６の厚みは、駆動電圧の抑制という観点からは100μｍ以下とすることが望ましく、表示のコントラスト比を高めるという観点からは5μｍ以上とすることが望ましい。
【００３６】
また、上記スペーサ構造体３の形状は壁構造であり、壁の厚みは1μｍ以上かつ200μｍ以下であることが望ましい。その際、壁の配置を格子状やストライプ状とした場合、壁の間隔が画素ピッチと一致する場合が最適であるが、必要な素子の強度に応じて間隔を自由に定めることができる。また壁構造は直線状でなく曲線状であってもよく、さらに壁の厚みや長さは全て一定でなくてもよい。
【００３７】
また、スペーサ構造体３は上記の壁構造の他、1μｍ以上かつ200μｍ以下の円内に収まる大きさの柱状とし、島状に配置することもできる。その場合には、隣り合うスペーサ構造体の距離が、柱の直径より大きいことが望ましいが、素子強度が得られない場合はこの限りではない。スペーサ構造体３を柱状とした場合、柱の形状は対称性のよい円柱とすることが好ましいが、これに限定されるものではなく、さらに柱の幅は一定でなくてもよい。またスペーサ構造体３は、上記の壁構造と柱状の構造を組み合わせることも可能である。
【００３８】
また、上述した露光照明を行う紫外線は平行度に優れる必要がある。例えば、光源ランプから放射された光を集光鏡で一方向に射出し、複数のマイクロレンズアレイを有するインテグレータ板を１対用いたインテグレータ部によって光強度が広範囲で一様となるように光を分配した後、レンズや曲面鏡などを介して対象物に照射することが望ましい。樹脂構造体３、５の形成精度を高めるためには、照明光の広がりを示すコリメーション半角が2°以下に設定されたものが適当である。また、上記光源ランプとしては、点光源を得やすい高出力水銀キセノンランプ、超高圧水銀ランプ、エキシマランプ、キセノンランプ等が好適であるが、これらに限られるものではない。
【００３９】
透明基板２上への液晶／樹脂原材料混合液の塗布法としては、ロールコーティング、ディッピング、スピンコーティング、キャスティング、スプレー、ドクターブレードコーティングおよびワイヤバーコーティング等が、生産性や量産性に優れた方法として用いられる。また、フレキソ印刷、スクリーン印刷、グラビア印刷など各種の印刷法を用いることもできる。
【００４０】
使用するコレステリック液晶材料としては、不斉炭素原子を含みねじれ配向を有する液晶材料のほかに、不斉炭素原子を含まないネマティック液晶にねじれ配向を誘発するカイラル剤を添加して使用することができる。カイラル添加剤には、小量で短いらせんピッチが得られる材料が好ましく、光学活性を持つ不斉炭素原子を含むカイラル化合物、もしくはコレステリック相を示すコレステロール誘導体が適当である。
【００４１】
液晶内に生じるねじれピッチは、カイラルドーパントの濃度と反比例の関係にある。フォーカルコニック組織の配向（コレステリック相）を発現させるには、ねじれピッチを基板間隔の２分の１以下に制御することが望まれる。
【００４２】
また電圧印加に対して高速応答性を得る液晶には、低粘性かつ高弾性の材料が適しており、化学構造としては、液晶の屈折率異方性Δｎ（Δｎ＝異常光屈折率ｎｅ−常光屈折率ｎｏ）が大きいシアノ系、ビフェニル系、タフェニル系、ピリミジン系、トラン系、フッ素系が適している。
【００４３】
使用する樹脂原材料としては、モノマやオリゴマが使用され、重合反応が進み易く、重合後の分子量変化が著しい材料ほど樹脂が液晶と相分離しやすいため、多官能性の材料が好ましい。さらに、液晶との溶解性に優れた樹脂原材料が望ましく、フェニル基やシクロヘキサン基などの液晶に類似した分子骨格をコアに有する材料が好適である。また、ポリエチレン樹脂、ポリプロピレン樹脂、ポリオレフィン樹脂、アクリル樹脂、メタクリル樹脂、エポキシ樹脂、ウレタン樹脂、ポリスチレン樹脂、ポリビニルアルコール樹脂、フッ素系樹脂（例えばポリテトラフルオロエチレン等）、またはそれらの共重合体なども使用することができる。
【００４４】
また、網目状分割構造体５の具体的な形態としては、例えば、面内（基板面と平行な面内）でハニカムを構成するようなポリマ膜構造が有用である（膜は基板面に垂直）。
【００４５】
また、透明基板２として薄い基板を用いれば、紫外線露光時の回折現象による広がり光を抑制できるため、スペーサ構造体３を効果的かつ高精度に形成できる。厚みが0.4ｍｍ以下の薄いガラス基板は勿論のこと、0.2ｍｍ以下のポリカーボネート、ポリエチレンテレフタレート、ポリエーテルスルホン、ポリエチレンテレフタレート等の柔軟なプラスティックフィルムを用いることができる。柔軟なプラスティックフィルムにより透明基板２を構成した場合、軽量で曲げることが可能な液晶光変調器を構成できる。
【００４６】
プラスティック基板に用いるガスバリア層としては、ケイ素、アルミニウムなどの金属酸化物や金属窒化物が用いられ、特に好ましくは、透明性、機械的特性、ガスバリア性などの観点から、SiOx(1.5≦x≦2.0）やSiNである。
【００４７】
透明基板２に設ける透明電極１としては、錫をドープした酸化インジウム（ＩＴＯ）をはじめ、酸化インジウム、酸化錫、酸化亜鉛などが好適である。それらの透明電極２は、真空蒸着、スパッタリング、イオンプレーティング、などの技術で成膜することができる。また、金属酸化物以外の透明電極１として、ポリチオフェン系樹脂などの透明な有機系導電性材料を、スピンコートや印刷法などにより塗布してもよい。
【００４８】
素子動作の面内一様性や表示動作のコントラスト比を高めるため、透明電極の表面に、液晶分子の配向を揃えるための配向膜を塗布して用いることができる。液晶／モノマ混合液や液晶の分子配向を一方向に定めるための配向膜の材料には、ポリイミド樹脂、ポリビニルアルコール樹脂、ポリビニルシンナメート樹脂、アゾ系化合物などが好適である。その配向処理法としては、レーヨンやナイロン布などで樹脂膜表面を摩擦するラビング配向処理、もしくは偏光紫外線の照射による露光処理を用いることができる。配向膜の塗布法には、フレキソ印刷法、グラビア印刷法など既存の各種印刷法のほかに、ロールコーティング、ディッピング、スピンコーティング、キャスティング、スプレー、ドクターブレードコーティングおよびワイヤバーコーティングなどが挙げられるが、それら以外の塗布技術を用いることもできる。また、無機材料の配向膜として、斜法真空蒸着したSiO膜もしくはSi02膜を基板表面に形成することも可能である。これらの配向膜の配向処理方向としては、形成される２枚の透明基板２間で互いに平行もしくは互いに反平行の方向に調整されることが望ましい。
【００４９】
一方、本実施形態において、コレステリック液晶４の波長選択反射効果を利用して反射表示を行う場合、素子の背面に光吸収体を配置することが望ましい。また、特定の波長の光を選択的に反射できるため、コレステリック液晶４のねじれピッチを調整することにより、カラー表示も可能とすることができる。この方式ではバックライトを用いないため、低消費電力の反射型表示装置を構成できる。
【００５０】
なお、コレステリック液晶中に２色性色素を添加したゲストホスト動作方式で使用する場合、液晶光変調器に光を反射する反射板や拡散板を設ける必要がある。このような反射型表示装置の場合、光非入射側の基板を不透明化したり、光非入射側の電極を金属電極に置き換えることも可能である。
【００５１】
また、ゲストホスト方式の液晶光変調器にバックライトを設ければ、暗所でも高コントラストな表示機能を有する液晶表示装置を構成することも可能である。
【図面の簡単な説明】
【００５２】
【図１】本発明の実施形態に係る液晶光変調器を示す断面模式図
【符号の説明】
【００５３】
１    透明電極
２    透明基板
３    スペーサ構造体
４    コレステリック液晶
５    網目状分割構造体
６    複合膜
７    入射光
８    出射光（表示光）
９    電圧源
１０    リード線
２０    液晶光変調器
【図１】
2006330047.tif 000003